(57)【要約】【課題】組み込み式誘導加熱調理器の包装落下でのトッププレートの位置ズレを防止する。【解決手段】外郭を構成する外郭本体１と、本体上面を覆い本体に固定されるトップユニット部３を有し、トップユニット部３は、平面状のトッププレート６と、トッププレート６を載置し外周部を接着し保持する保持部材４と、トッププレート６の外周を上方より覆う枠体７とを備え、前記保持部材４に設けた位置決め用凹部８と外郭上部に略水平に設けたフランジ部２とをかん合させる構成としたことにより、トップユニット部３に水平方向に大きな力が加わった場合でも、外郭上部に設けたフランジ部２全体で受けることができるので、フック部９の根元部に力が集中するのを防止することができ、トップユニット部３の位置ズレを防止することができる。【選択図】図１
2010055757.tif 000002
【特許請求の範囲】
【請求項１】
外郭を構成する本体と、前記本体上面を覆い前記本体に固定されるトップユニット部を有し、前記トップユニット部は、平面状のトッププレートと、前記トッププレートを載置し外周部を接着し保持する保持部材と、前記トッププレートの外周を上方より覆う枠体とを備え、前記保持部材に設けた位置決め用凹部と前記外郭上部に略水平に設けたフランジ部とをかん合させ、包装落下時等の前記トップユニット部の位置ズレを防止する構成とした誘導加熱調理器。
【請求項２】
外郭を構成する本体と、前記本体上面を覆い前記本体に固定されるトップユニット部を有し、前記トップユニット部は、平面状のトッププレートと、前記トッププレートを載置し外周部を接着し保持する保持部材と、前記トッププレートの外周を上方より覆う枠体とを備え、前記保持部材に略垂直に設けた位置決め用フランジ部を前記外郭の内側にはめ込みかん合させ、包装落下時等の前記トップユニット部の位置ズレを防止する構成とした誘導加熱調理器。
【請求項３】
保持部材に、外郭を構成する本体と前方で結合するフック部を一体で設け、前記フック部の外側にはトップユニット部固定時、外郭側面と接する曲げ部を設け、包装落下時等の前記トップユニット部の位置ズレを防止する構成とした請求項１または２に記載の誘導加熱調理器。
【請求項４】
保持部材に、外郭を構成する本体と前方で結合するフック部を一体で設け、さらに前記フック部の根元近辺の側面には曲げ加工によるツメ部を設け、前記外郭前面に設けたツメ挿入穴にツメ部を挿入し、包装落下時等の前記トップユニット部の位置ズレを防止する構成とした請求項１〜３に記載の誘導加熱調理器。
【請求項５】
保持部材に、外郭を構成する本体と前方で結合するフック部を一体で設け、前記フック部の根元付近の外郭前面に曲げあるいは絞り等によるフック位置決めの凸部を設け、包装落下時等の前記トップユニット部の位置ズレを防止する構成とした請求項１〜４のいずれか１項に記載の誘導加熱調理器。
【発明の詳細な説明】
【技術分野】
【０００１】
本発明は、調理容器が載置されるトッププレートの包装落下時等の位置ズレを防止した誘導加熱調理器に関するものである。
【背景技術】
【０００２】
従来、この種の誘導加熱調理器は、図７に示すようなものがある（例えば、特許文献１参照）。
【０００３】
図７は、従来の組み込み式誘導加熱調理器の要部分解斜視図を示すものである。図７に示すように、日本の一般家庭の台所で用いられている加熱部を３個有する、いわゆる３口の加熱調理器であり、加熱調理器の外郭を構成する外郭本体３１の内部には、加熱コイルや冷却用のファンモーター、制御基板等（図示せず）を有し、３２はトップユニット部で外郭本体３１を上方から覆われている。
【０００４】
トップユニット部３２は保持部材３３と、それに載置され全周を接着剤で接着されるトッププレート３５と、トッププレート３５の上方より外周を覆う枠体３６とより構成されている。
【０００５】
保持部材３３の前辺部に下方よりビスＡ３８で固定されるフック部３７は、トップユニット部３２が外郭本体３１にセットされた後、前方よりビスＢ３９にて固定される。
【０００６】
トップユニット部３２は、保持部材３３と枠体３６に設けられた穴部を介してビスＣ４０にて外郭本体３１に固定されている。さらに、冷却用の大気を吸い込む吸気孔４２等を覆う吸排気パネル４１を構成している。
【特許文献１】特開２００４−３１１３３８号公報
【発明の開示】
【発明が解決しようとする課題】
【０００７】
しかしながら、前記従来の構成では、保持部材の前方に設けられたフック部を介して、外郭本体前面に固定されるため、天板の前方の固定ビス締め位置はキッチンのワークトップの厚さ分より下側の位置に持ってくる必要がある。したがって、フック根元より４〜５ｃｍ離れた位置がビス固定位置となる。
【０００８】
そのため、包装落下等でトッププレートに横方向から大きな力が加わった場合などは、フックの根元部が少し変形し、トッププレートが本体と位置ズレする場合があるという課題を有していた。
【０００９】
また、最近では、トッププレートに操作用の静電ボタンを印刷したものや、静電ボタン部を光らせる機種が増えてきており、従来に比べて本体とトッププレートの位置決め精度がさらに必要となってきている。
【００１０】
本発明は、前記従来の課題を解決するもので、包装落下等でトッププレートに強い力が加わった場合でも、トッププレートが位置ズレすることなく、安定した操作ができ、外観上も不具合が出ない誘導加熱調理器を提供することを目的とする。
【課題を解決するための手段】
【００１１】
前記従来の課題を解決するために、本発明の誘導加熱調理器は、外郭を構成する本体と
、前記本体上面を覆い前記本体に固定されるトップユニット部を有し、前記トップユニット部は、平面状のトッププレートと、前記トッププレートを載置し外周部を接着し保持する保持部材と、前記トッププレートの外周を上方より覆う枠体とを備え、前記保持部材に設けた位置決め用凹部と前記外郭上部に略水平に設けたフランジ部とをかん合させる構成としたものである。
【００１２】
これによって、トッププレートに水平方向に大きな力が加わった場合でも、外郭上部に設けたフランジ部全体で受けることができるので、フックの根元部に力が集中するのを防止することができ、トップユニット部の位置ズレを防止することができる。
【００１３】
また、本発明の誘導加熱調理器は、前記目的を達成するために、本発明の誘導加熱調理器は、保持部材に、外郭を構成する本体と前方で結合するフック部を一体で設け、前記フック部の外側にはトップユニット部固定時、外郭側面と接する曲げ部を設ける、あるいは外郭前面のフック根元部に設けた位置決め用凸部やツメ挿入用穴により、保持部材に設けたフックの根元を保持する構成としたものである。
【００１４】
これによって、トッププレートに水平方向に大きな力が加わった場合でも、フックの根元部の変形を防止することができ、トップユニット部の位置ズレを防止することができる。
【発明の効果】
【００１５】
本発明の誘導加熱調理器は、包装落下等でトッププレートに強い力が加わった場合でも、トッププレートが位置ズレすることなく、安定した操作ができ、外観上も不具合が出ない誘導加熱調理器を提供することができる。
【発明を実施するための最良の形態】
【００１６】
第１の発明は、外郭を構成する本体と、前記本体上面を覆い前記本体に固定されるトップユニット部を有し、前記トップユニット部は、平面状のトッププレートと、前記トッププレートを載置し外周部を接着し保持する保持部材と、前記トッププレートの外周を上方より覆う枠体とを備え、前記保持部材に設けた位置決め用凹部と前記外郭上部に略水平に設けたフランジ部とをかん合させ、包装落下時等のトップユニット部の位置ズレを防止する構成としたことにより、トッププレートに水平方向に大きな力が加わった場合でも、外郭上部に設けたフランジ部全体で受けることができるので、フックの根元部に力が集中するのを防止することができ、トップユニット部の位置ズレを防止することができる。
【００１７】
第２の発明は、外郭を構成する本体と、前記本体上面を覆い前記本体に固定されるトップユニット部を有し、前記トップユニット部は、平面状のトッププレートと、前記トッププレートを載置し外周部を接着し保持する保持部材と、前記トッププレートの外周を上方より覆う枠体とを備え、前記保持部材に略垂直に設けた位置決め用フランジ部を前記外郭の内側にはめ込みかん合させ、包装落下時等のトップユニット部の位置ズレを防止する構成としたことにより、第１の発明とは別の構成で、トッププレートに水平方向に大きな力が加わった場合でも、フックの根元部に力が集中するのを防止することができ、トップユニット部の位置ズレを防止することができる。
【００１８】
第３の発明は、特に、第１または第２の発明の保持部材に、外郭を構成する本体と前方で結合するフック部を一体で設け、前記フック部の外側にはトップユニット部固定時、外郭側面と接する曲げ部を設ける構成としたことにより、トッププレートに水平方向に大きな力が加わった場合でも、フックの根元部に力が集中し、フックが倒れるのを防止することができ、トップユニット部の位置ズレを防止することができる。
【００１９】
第４の発明は、特に、第１〜３のいずれか１つの発明の保持部材に、外郭を構成する本体と前方で結合するフック部を一体で設け、さらに前記フック部の根元近辺の側面には曲げ加工によるツメ部を設け、前記外郭前面に設けたツメ挿入穴にツメ部を挿入する構成としたことにより、トッププレートに水平方向に大きな力が加わった場合でも、フックの根元部に力が集中し、フックが倒れるのを防止することができ、トップユニット部の位置ズレを防止することができるができる。
【００２０】
第５の発明は、特に、第１〜４のいずれか１つの発明の保持部材に、外郭を構成する本体と前方で結合するフック部を一体で設け、前記フック部の根元付近の外郭前面に曲げあるいは絞り等によるフック位置決めの凸部を設ける構成としたことにより、トッププレートに水平方向に大きな力が加わった場合でも、フックの根元部に力が集中し、フックが倒れるのを防止することができ、トップユニット部の位置ズレを防止することができるができる。
【００２１】
以下、本発明の実施の形態について図面を参照しながら説明する。なお、この実施の形態によって本発明が限定されるものではない。
【００２２】
（実施の形態１）
図１は、本発明の第１の実施の形態における誘導加熱調理器の要部分解斜視図、図２は、本発明の第１の実施の形態における誘導加熱調理器の要部断面図、図３は、本発明の第１の実施の形態における誘導加熱調理器の要部側面図を示すものである。本発明の実施の形態１における誘導加熱調理器をシステムキッチンに取付けた状態を示すものである。
【００２３】
図１において、加熱調理器の外郭を構成する外郭本体１の内部には、加熱コイルや冷却用のファンモーター、制御基板等（図示せず）を有し、上部の開口部の各辺には水平方向に外向きに曲げ加工されたフランジ部２を有する。トップユニット部３は、保持部材４と、それに載置され全周を接着剤５で接着されるトッププレート６と、トッププレート６の上方より外周を覆う枠体７とより構成している。
【００２４】
また保持部材４には、外郭本体１の上部のフランジ部２の外形に合わせ上向きに絞り成型された位置決め用凹部８を有する。
【００２５】
さらに、保持部材４の前辺部には、下方に切り起こされたフック部９を有し、トップユニット部３を外郭本体１にセットする際、外郭本体１の上部のフランジ部２が保持部材４のかん合部８に一定のクリアランスを持って、セットされた後に、前方よりビス１０で固定される。
【００２６】
また、フック部９の外側にはトップユニット部３固定時、外郭本体側面と接する曲げ部１１を設けている。
【００２７】
トップユニット部３は保持部材４と枠体７に設けられた穴部を介してビス１２にて外郭本体１に固定されている。さらに、冷却用の大気を吸い込む吸気孔１４等を覆う吸排気パネル１３を構成している。
【００２８】
以上のように構成された誘導加熱調理器について、以下その動作、作用を説明する。
【００２９】
本実施の形態における誘導加熱調理の構成原理は公知の技術として説明を省略する。
【００３０】
まず、保持部材４に設けた位置決め用凹部８と外郭本体１上部に略水平に設けたフランジ部２とを一定のクリアランスを設けかん合させることにより、包装状態での落下時にト
ッププレート６に水平方向に大きな力が加わった場合でも、外郭上部に設けたフランジ部２全体で受けることができるので、フックの根元部に力が集中するのを防止することができ、トッププレート６の位置ズレを防止することができる。
【００３１】
また、フック部の外側にはトップユニット部３固定時、外郭本体１側面と接する曲げ部を設ける構成としたことにより、トッププレート６に水平方向に大きな力が加わった場合でも、フック部９の根元部に力が集中し、フック部９が倒れるのを防止することができ、さらにトップユニット部３の位置ズレを防止することができる。
【００３２】
（実施の形態２）
図４は、本発明の第２の実施の形態の誘導加熱調理器の要部断面図、図５は本発明の第２の実施の形態の誘導加熱調理器の要部正面図である。
【００３３】
実施の形態１と基本構成は同じなので異なる点を中心に説明する。
【００３４】
図４、図５において、保持部材２１に略垂直に設けた位置決め用フランジ部２２を外郭本体２３の開口の内側にはめ込みかん合させている。また、保持部材２１に、外郭を構成する本体と前方で結合するフック部２４を一体で設け、さらにフック部２４の根元近辺の側面には曲げ加工によるツメ部２５を設け、前記外郭前面に設けたツメ挿入穴２６にツメ部を挿入している。フック部２４は、実施の形態１と同様前方よりビス２７にて外郭本体２３に固定した構成にしている。
【００３５】
以上のように構成された誘導加熱調理器について、以下その動作、作用を説明する。
【００３６】
まず、包装落下等で水平方向に大きな力が加わった場合でも、保持部材２１に略垂直に設けた位置決め用フランジ部２２が外郭本体２３の開口の内側にはめ込まれており、さらにフック部２４自体も根元も位置決め用のツメ２５が設けられ固定されているので、フック部２４の根元に力がかかり変形するのを防止し、トップユニット部２８の位置ズレを防止することができる。
【００３７】
（実施の形態３）
図６は、本発明の第３の実施の形態の誘導加熱調理器の要部正面図である。
【００３８】
実施の形態１および２と基本構成は同じなので異なる点を中心に説明する。
【００３９】
図６において、フック部５１の根元付近の外郭本体５２、前面に曲げあるいは絞り等によるフック位置決めの凸部５３を設け、フックの側面５４を当てることにより根元部を位置決めした構成にしている。
【００４０】
以上の構成について、以下その動作、作用を説明する。
【００４１】
包装落下等で水平方向に大きな力が加わった場合でも、フック部５１の根元付近の外郭本体５２前面に曲げあるいは絞り等によるフック位置決めの凸部５３を設け、フック部５１の側面を受ける構成にしているので、フックの根元に力がかかり変形するのを防止し、トップユニット部５５の位置ズレを防止することができる。
【産業上の利用可能性】
【００４２】
以上のように、本発明にかかる誘導加熱調理器は、他の加熱調理器の用途にも適用できる。
【図面の簡単な説明】
【００４３】
【図１】本発明の実施の形態１における誘導加熱調理器の要部分解斜視図
【図２】本発明の実施の形態１における誘導加熱調理器の要部断面図
【図３】本発明の実施の形態１における誘導加熱調理器の要部側面図
【図４】本発明の実施の形態２における誘導加熱調理器の要部断面図
【図５】本発明の実施の形態２における誘導加熱調理器の要部正面図
【図６】本発明の実施の形態３における誘導加熱調理器の要部正面図
【図７】従来の組み込み式誘導加熱調理器の要部分解斜視図
【符号の説明】
【００４４】
１、２３、５２  外郭本体（本体）
２  フランジ部
３、２８、５５  トップユニット部
４、２１  保持部材
６  トッププレート
７  枠体
８  位置決め用凹部
９、２４、５１  フック部
１１  曲げ部
２２  位置決め用フランジ部
２５  ツメ部
２６  ツメ挿入穴
５３  フック位置決めの凸部
【図１】
2010055757.tif 000003
【図２】
2010055757.tif 000004
【図３】
2010055757.tif 000005
【図４】
2010055757.tif 000006
【図５】
2010055757.tif 000007
【図６】
2010055757.tif 000008
【図７】
2010055757.tif 000009